(57)【特許請求の範囲】
【請求項１】
少なくとも、接点信号を出力する機器からの接点信号の入力に変化があったときに、その変化に対応したワイヤレス信号を送信する接点入力型ワイヤレス送信器と、このワイヤレス送信器から送信されるワイヤレス信号を受信するワイヤレス受信器とで構成されたワイヤレス伝送システムにおいて、
上記ワイヤレス送信器は、ワイヤレス信号を送信してから、そのワイヤレス信号を上記ワイヤレス受信器が受信するまでの時間または該時間以上を、送信禁止時間として設定しており、ワイヤレス信号を送信した後、上記送信禁止時間が経過するまでは、ワイヤレス信号の送信を禁止して、その送信禁止時間の経過後に、送信を禁止していたワイヤレス信号を送信することを特徴とするワイヤレス伝送システム。
【請求項２】
少なくとも、接点信号を出力する機器からの接点信号の入力に変化があったときに、その変化に対応したワイヤレス信号を送信する接点入力型ワイヤレス送信器と、このワイヤレス送信器から送信されるワイヤレス信号を受信し、そのワイヤレス信号を一定時間後に送信するワイヤレス中継器と、このワイヤレス中継器から送信されるワイヤレス信号を受信するワイヤレス受信器とで構成されたワイヤレス伝送システムにおいて、
上記ワイヤレス送信器は、ワイヤレス信号を送信してから、そのワイヤレス信号を上記ワイヤレス受信器が受信するまでの時間または該時間以上を、送信禁止時間として設定しており、ワイヤレス信号を送信した後、上記送信禁止時間が経過するまでは、ワイヤレス信号の送信を禁止して、その送信禁止時間の経過後に、送信を禁止していたワイヤレス信号を送信することを特徴とするワイヤレス伝送システム。
【請求項３】
少なくとも、ワイヤレス送信器と、このワイヤレス送信器から送信されるワイヤレス信号を受信するワイヤレス受信器とで構成されたワイヤレス伝送システムにおいて、
上記ワイヤレス送信器は、ワイヤレス信号を送信してから、そのワイヤレス信号を上記ワイヤレス受信器が受信するまでの時間または該時間以上を、送信禁止時間として設定しており、ワイヤレス信号を送信した後、上記送信禁止時間が経過するまでは、ワイヤレス信号の送信を禁止し、その送信禁止時間が経過したときに、送信を禁止していた最初のワイヤレス信号と最後のワイヤレス信号が同じ種別の信号であれば、その最初のワイヤレス信号を送信し、送信を禁止していた最初のワイヤレス信号と最後のワイヤレス信号が異なる種別の信号であれば、その最初のワイヤレス信号と最後のワイヤレス信号を送信することを特徴とするワイヤレス伝送システム。
【請求項４】
少なくとも、接点信号を出力する機器からの接点信号の入力に変化があったときに、その変化に対応したワイヤレス信号を送信する接点入力型ワイヤレス送信器と、このワイヤレス送信器から送信されるワイヤレス信号を受信するワイヤレス受信器とで構成されたワイヤレス伝送システムにおいて、
上記ワイヤレス送信器は、ワイヤレス信号を送信してから、そのワイヤレス信号を上記ワイヤレス受信器が受信するまでの時間または該時間以上を、送信禁止時間として設定しており、ワイヤレス信号を送信した後、上記送信禁止時間が経過するまでは、ワイヤレス信号の送信を禁止し、その送信禁止時間が経過したときに、送信を禁止していた最初のワイヤレス信号と最後のワイヤレス信号が同じ種別の信号であれば、その最初のワイヤレス信号を送信し、送信を禁止していた最初のワイヤレス信号と最後のワイヤレス信号が異なる種別の信号であれば、その最初のワイヤレス信号と最後のワイヤレス信号を送信することを特徴とするワイヤレス伝送システム。
【請求項５】
少なくとも、ワイヤレス送信器と、このワイヤレス送信器から送信されるワイヤレス信号を受信し、そのワイヤレス信号を一定時間後に送信するワイヤレス中継器と、このワイヤレス中継器から送信されるワイヤレス信号を受信するワイヤレス受信器とで構成されたワイヤレス伝送システムにおいて、
上記ワイヤレス送信器は、ワイヤレス信号を送信してから、そのワイヤレス信号を上記ワイヤレス受信器が受信するまでの時間または該時間以上を、送信禁止時間として設定しており、ワイヤレス信号を送信した後、上記送信禁止時間が経過するまでは、ワイヤレス信号の送信を禁止し、その送信禁止時間が経過したときに、送信を禁止していた最初のワイヤレス信号と最後のワイヤレス信号が同じ種別の信号であれば、その最初のワイヤレス信号を送信し、送信を禁止していた最初のワイヤレス信号と最後のワイヤレス信号が異なる種別の信号であれば、その最初のワイヤレス信号と最後のワイヤレス信号を送信することを特徴とするワイヤレス伝送システム。
【請求項６】
少なくとも、接点信号を出力する機器からの接点信号の入力に変化があったときに、その変化に対応したワイヤレス信号を送信する接点入力型ワイヤレス送信器と、このワイヤレス送信器から送信されるワイヤレス信号を受信し、そのワイヤレス信号を一定時間後に送信するワイヤレス中継器と、このワイヤレス中継器から送信されるワイヤレス信号を受信するワイヤレス受信器とで構成されたワイヤレス伝送システムにおいて、
上記ワイヤレス送信器は、ワイヤレス信号を送信してから、そのワイヤレス信号を上記ワイヤレス受信器が受信するまでの時間または該時間以上を、送信禁止時間として設定しており、ワイヤレス信号を送信した後、上記送信禁止時間が経過するまでは、ワイヤレス信号の送信を禁止し、その送信禁止時間が経過したときに、送信を禁止していた最初のワイヤレス信号と最後のワイヤレス信号が同じ種別の信号であれば、その最初のワイヤレス信号を送信し、送信を禁止していた最初のワイヤレス信号と最後のワイヤレス信号が異なる種別の信号であれば、その最初のワイヤレス信号と最後のワイヤレス信号を送信することを特徴とするワイヤレス伝送システム。
【請求項７】
請求項１〜請求項６のいずれかに記載のワイヤレス伝送システムにおいて、上記ワイヤレス送信器は、上記送信禁止時間を、法定の最小送信禁止時間とほぼ同じ時間に設定することを特徴とするワイヤレス伝送システム。
【発明の詳細な説明】
【０００１】
【発明の属する技術分野】
本発明は、ワイヤレス通信が確実にできるようにしたワイヤレス伝送システムに関する。
【０００２】
【従来の技術】
従来から、ワイヤレス伝送システムは、様々な分野で使用されており、レストランなどでは、客からの呼出に用いられている。客はテーブルなどに設置されたワイヤレス発信器（送信器）をボタン操作する。すると、テーブル番号等が付加されたワイヤレス信号が送信されるので、厨房などに設けられたワイヤレス受信器が、これを受信しテーブル番号などを表示し、接客することができる。
【０００３】
また、ワイヤレス伝送システムには、ワイヤレス送信器として、接点信号を出力する機器を有線接続し、この機器から接点信号の入力があったときに、その機器の状態を示すワイヤレス信号を送信する接点入力型ワイヤレス送信器を用いるものもあり、警報の報知などに使用されている。このワイヤレス送信器では、例えば、人体検知センサを接続して、このセンサが人体を検知することにより、センサから接点信号の入力があったときには、ワイヤレス信号を送信する。この信号を受信したワイヤレス受信器では、人が侵入してきたことを、呼出音や警報音を出力したり、ランプなどを点灯あるいは点滅させたりして、受信器側にいる人に知らせる。
【０００４】
図１３は、このときの動作を示している。ここでは、ワイヤレス受信器として、接点信号を入力する機器を有線接続した接点出力型ワイヤレス受信器を使用している。接点入力型送信器の入力端子の状態が、開から閉になると動作開始指令（ＯＮ）信号を送信し、閉から開になると動作停止指令（ＯＦＦ）信号を送信する（（ａ），（ｂ）参照）。これによって、受信器では、送信器側の入力端子の状態に同期した動作ができる（（ｃ）参照）。
【０００５】
また、図１４（ａ）〜（ｅ）には、送信器と受信器との間で中継器を介して通信する場合の動作を示している。ここでは、（ｃ），（ｄ）に示すように、２台の中継器（中継器１、中継器２）を使用しており、中継器２は中継器１からの信号のみを受信し、受信器は中継器２からの信号のみを受信するようになっている。また、中継器は、信号を受信してから一定時間Ｔの経過後に、信号を送信しており、これによって、中継する信号が、信号の衝突によって正しく伝送されなくなることを防いでいる。
【０００６】
【発明が解決しようとする課題】
ところが、上記従来のワイヤレス伝送システムでは、ワイヤレス送信器からの送信タイミングにより、ワイヤレス受信器に対して、正常な伝送ができない場合があった。図１５は、その問題が生じる場合の動作を示しており、中継器２からのＯＮ信号の発信が、送信器からのＯＦＦ信号の送信と同じタイミングになっている。これによって、信号が衝突し、受信器がＯＦＦ信号を受信できずに、正しい動作ができなくなる。ここでは、受信器は中継器１と中継器２の両方からの信号が受信できるようになっているが、中継器１からＯＮ信号を受信後、ＯＦＦ信号を受信しないので、動作状態を継続させたままになる。
【０００７】
本発明は、このような事情に鑑みてなされたものであり、信号の衝突を防いで、送信器から受信器に、信号が正しく伝送できるようにしたワイヤレス伝送システムを提供することを目的とする。
【０００８】
【課題を解決するための手段】
上記目的を達成するために、本発明の請求項１に記載のワイヤレス伝送システムは、少なくとも、ワイヤレス送信器と、このワイヤレス送信器から送信されるワイヤレス信号を受信するワイヤレス受信器とで構成される。
【０００９】
ワイヤレス送信器は、接点入力型ワイヤレス送信器が使用され、接点入力型ワイヤレス送信器に接続される機器には、各種センサや押釦などがある。
このシステムでは、ワイヤレス送信器は、ワイヤレス信号を送信してから、そのワイヤレス信号をワイヤレス受信器が受信するまでの時間または該時間以上を、送信禁止時間として設定しており、ワイヤレス信号を送信した後、送信禁止時間が経過するまでは、ワイヤレス信号の送信を禁止して、その送信禁止時間の経過後に、送信を禁止していたワイヤレス信号を送信する。
【００１０】
ワイヤレス送信器は、ワイヤレス信号を送信してから、そのワイヤレス信号をワイヤレス受信器が受信するまでの時間または該時間以上を、送信禁止時間として設定しており、ワイヤレス信号を送信した後、送信禁止時間が経過するまでは、ワイヤレス信号の送信を禁止して、その送信禁止時間の経過後に、送信を禁止していたワイヤレス信号を送信する。
ここでは、送信禁止時間は、送信器から信号を送信してから、その信号が、１又は複数の中継器を介した後、受信器に到達するまでの時間が設定される。
【００１１】
請求項２に記載のワイヤレス伝送システムは、少なくとも、接点信号を出力する機器からの接点信号の入力に変化があったときに、その変化に対応したワイヤレス信号を送信する接点入力型ワイヤレス送信器と、このワイヤレス送信器から送信されるワイヤレス信号を受信し、そのワイヤレス信号を一定時間後に送信するワイヤレス中継器と、このワイヤレス中継器から送信されるワイヤレス信号を受信するワイヤレス受信器とで構成される。このシステムは、請求項２とは、ワイヤレス中継器を介して通信することに限定している点で異なる。
【００１２】
ワイヤレス送信器は、ワイヤレス信号を送信してから、そのワイヤレス信号をワイヤレス受信器が受信するまでの時間または該時間以上を、送信禁止時間として設定しており、ワイヤレス信号を送信した後、送信禁止時間が経過するまでは、ワイヤレス信号の送信を禁止して、その送信禁止時間の経過後に、送信を禁止していたワイヤレス信号を送信する。
【００１３】
請求項３に記載のワイヤレス伝送システムは、少なくとも、ワイヤレス送信器と、このワイヤレス送信器から送信されるワイヤレス信号を受信するワイヤレス受信器とで構成される。このシステムは、システムの機器構成は請求項１と同じである。ワイヤレス送信器は、ワイヤレス信号を送信してから、そのワイヤレス信号をワイヤレス受信器が受信するまでの時間または該時間以上を、送信禁止時間として設定しており、ワイヤレス信号を送信した後、送信禁止時間が経過するまでは、ワイヤレス信号の送信を禁止し、その送信禁止時間が経過したときに、送信を禁止していた最初のワイヤレス信号と最後のワイヤレス信号が同じ種別の信号であれば、その最初のワイヤレス信号を送信し、送信を禁止していた最初のワイヤレス信号と最後のワイヤレス信号が異なる種別の信号であれば、その最初のワイヤレス信号と最後のワイヤレス信号を送信する。
【００１４】
請求項４に記載のワイヤレス伝送システムは、少なくとも、接点信号を出力する機器からの接点信号の入力に変化があったときに、その変化に対応したワイヤレス信号を送信する接点入力型ワイヤレス送信器と、このワイヤレス送信器から送信されるワイヤレス信号を受信するワイヤレス受信器とで構成される。このシステムは、システムの機器構成は請求項１と同じである。
【００１５】
ワイヤレス送信器は、ワイヤレス信号を送信してから、そのワイヤレス信号をワイヤレス受信器が受信するまでの時間または該時間以上を、送信禁止時間として設定しており、ワイヤレス信号を送信した後、送信禁止時間が経過するまでは、ワイヤレス信号の送信を禁止し、その送信禁止時間が経過したときに、送信を禁止していた最初のワイヤレス信号と最後のワイヤレス信号が同じ種別の信号であれば、その最初のワイヤレス信号を送信し、送信を禁止していた最初のワイヤレス信号と最後のワイヤレス信号が異なる種別の信号であれば、その最初のワイヤレス信号と最後のワイヤレス信号を送信する。
【００１６】
請求項５に記載のワイヤレス伝送システムは、少なくとも、ワイヤレス送信器と、このワイヤレス送信器から送信されるワイヤレス信号を受信し、そのワイヤレス信号を一定時間後に送信するワイヤレス中継器と、このワイヤレス中継器から送信されるワイヤレス信号を受信するワイヤレス受信器とで構成される。
【００１７】
ワイヤレス送信器は、ワイヤレス信号を送信してから、そのワイヤレス信号をワイヤレス受信器が受信するまでの時間または該時間以上を、送信禁止時間として設定しており、ワイヤレス信号を送信した後、送信禁止時間が経過するまでは、ワイヤレス信号の送信を禁止し、その送信禁止時間が経過したときに、送信を禁止していた最初のワイヤレス信号と最後のワイヤレス信号が同じ種別の信号であれば、その最初のワイヤレス信号を送信し、送信を禁止していた最初のワイヤレス信号と最後のワイヤレス信号が異なる種別の信号であれば、その最初のワイヤレス信号と最後のワイヤレス信号を送信する。
【００１８】
請求項６に記載のワイヤレス伝送システムは、少なくとも、接点信号を出力する機器からの接点信号の入力に変化があったときに、その変化に対応したワイヤレス信号を送信する接点入力型ワイヤレス送信器と、このワイヤレス送信器から送信されるワイヤレス信号を受信し、そのワイヤレス信号を一定時間後に送信するワイヤレス中継器と、このワイヤレス中継器から送信されるワイヤレス信号を受信するワイヤレス受信器とで構成される。このシステムは、システムの機器構成は請求項４と同じである。
【００１９】
ワイヤレス送信器は、ワイヤレス信号を送信してから、そのワイヤレス信号をワイヤレス受信器が受信するまでの時間または該時間以上を、送信禁止時間として設定しており、ワイヤレス信号を送信した後、送信禁止時間が経過するまでは、ワイヤレス信号の送信を禁止し、その送信禁止時間が経過したときに、送信を禁止していた最初のワイヤレス信号と最後のワイヤレス信号が同じ種別の信号であれば、その最初のワイヤレス信号を送信し、送信を禁止していた最初のワイヤレス信号と最後のワイヤレス信号が異なる種別の信号であれば、その最初のワイヤレス信号と最後のワイヤレス信号を送信する。
【００２０】
請求項７に記載のワイヤレス伝送システムは、請求項１〜請求項６のいずれかにおいて、ワイヤレス送信器は、送信禁止時間を、法定の最小送信禁止時間とほぼ同じ時間に設定することを特徴とする。なお、法規を準拠するためには、送信禁止時間は、最小送信禁止時間より長い時間である必要がある。
【００２１】
【発明の実施の形態】
以下に、本発明の実施の形態について、図面とともに説明する。図１は、本発明のワイヤレス伝送システムにおけるワイヤレス送信器１の内部構成の一例を示したブロック図である。図において、１０はＣＰＵ等で構成され、各部を制御する信号処理部、１１は電源としての電池、１２はモード切替などの操作スイッチなどで構成された操作部、１３はＥＥＰＲＯＭ等で構成され、この送信器１に割り当てられたＩＤコードを書き込むＩＤ書込部、１４は後述する送信禁止時間を設定する送信禁止時間設定部、１５はワイヤレス送信するチャンネルを設定するチャンネル設定部、１６は液晶ディスプレイ（ＬＣＤ）やＬＥＤランプなどで構成された表示部、１７は信号処理部１０の待機時に消費電力を抑えるストップモードにおける動作クロックであるサブクロック（例えば、３２．７６８ＭＨｚ）、１８は信号処理部１０の通常動作時のためのメインクロック（例えば、３．６８６４ＭＨｚ）である。
【００２２】
また、ワイヤレス送信器１は、無線部２０として、ワイヤレス信号を送信するアンテナ２１と、無線送信部２２と、送信周波数を制御するＶＣＯ２３と、ＶＣＯ２３の位相の制御回路であるＰＬＬＩＣ２４と、ワイヤレス信号の周波数を生成するための基準クロック２５（例えば、１２．８ＭＨｚ）とを備えている。このワイヤレス送信器１では、信号処理部１０は、操作部１２の呼出ボタンなどが操作されたときに、呼出信号のワイヤレス信号を生成し、この信号を無線送信部２２からアンテナ２１を通じて送信する。送信される信号には、ＩＤ書込部１３から読み出されたＩＤコードが付加されており、ＶＣＯ２３により発振制御がされる無線送信部２２によって送信される。ワイヤレス信号を送信したときには、表示部１６に、送信したことや送信内容を表示する。
【００２３】
次に、本発明のワイヤレス伝送システムにおけるワイヤレス受信器３の内部構成の一例を示したブロック図を図２に示す。図において、３０はＣＰＵ等で構成され、各部を制御する信号処理部、３１は液晶ディスプレイやＬＥＤランプなどで構成された表示部、３２はワイヤレス受信する周波数を切替設定する周波数切替部、３３はＥＥＰＲＯＭ等で構成され、この受信器３に割り当てられたＩＤコードを記憶するＩＤメモリ、３４は商用電源（ＡＣ１００Ｖ）から供給される電源を制御する電源部である。また、３５はＩＤメモリ３３にＩＤコードを登録するとき等に操作する登録釦、３６は出荷時にこの受信器３の動作をテストするために操作するテストモード設定部、３７は低電圧検出部、３８は信号処理部３０の動作のためのメインクロック（例えば、３．６８６４ＭＨｚ）である。
【００２４】
信号処理部３０は、低電圧検出部３７において、電源部３４の瞬時停電などを検出したときには、消費電力を抑えたモードに切り替わり、電池などのバックアップ電源（不図示）により、表示部３１の表示状態などを記憶し、その状態を維持するようにする。停電が復旧したときには、記憶しておいた表示状態などに戻す。
【００２５】
ワイヤレス信号を受信するための無線部５０では、アンテナ５１から受信した信号を、ＰＬＬ制御部５５によって発振制御がされる無線受信部５２によって受信し、復調部５３で復調し、その信号の波形を波形整形部５４で整形する。このワイヤレス受信器３では、無線部５０を介して、ワイヤレス送信器１から送信されるワイヤレス信号を受信すると、表示部３１に、その信号の内容に応じた表示を行ったり、音出力部（不図示）から呼出音などを出力する。
【００２６】
本発明のワイヤレス伝送システムは、少なくとも、ワイヤレス送信器１（図１参照）と、このワイヤレス送信器１から送信されるワイヤレス信号を受信するワイヤレス受信器３（図２参照）とで構成されるが、ワイヤレス送信器１は、ワイヤレス信号を送信してから、そのワイヤレス信号をワイヤレス受信器３が受信するまでの時間または該時間以上を、送信禁止時間として、送信禁止時間設定部１４に設定している点に特徴がある。
【００２７】
この送信禁止時間には、予め、操作部１２の操作などによって、表示部１６の表示を見ながら、送信器１から受信器３に信号が到達するまでの予想時間が設定される。したがって、送信器１と受信器３の距離が長く、中継器を介するような場合には、その距離が長くなるに従って、送信禁止時間は長くなる。しかし、送信器１側の送信タイミングと受信器３側の動作タイミングとのタイムラグを極力小さくして、動作遅れ時間を短くするため、送信禁止時間には、上記予想時間の最短時間を設定することが望ましいが、それより長い時間を設定してもよい。
【００２８】
送信器１は、ワイヤレス信号を送信した後、送信禁止時間が経過するまでは、ワイヤレス信号の送信を禁止して、その送信禁止時間の経過後に、送信を禁止していたワイヤレス信号を送信する。なお、送信禁止時間内に、送信すべき信号がなく、送信を禁止していた信号がないときは、送信禁止時間が経過したときに、信号を送信することはない。一方、送信禁止時間中に、送信禁止されている信号が複数あれば、送信禁止時間の経過後に、それらの信号を順に送信する。但し、次の信号の送信によって、すぐに送信禁止時間に移行するので、順に、送信禁止時間の経過を待ってから送信する。
【００２９】
図３には、以上に説明したように、送信器１に送信禁止時間ｔ１を設定した場合のシステムの動作を示しており、ここでは、送信器１は、受信器３に対して動作開始命令（ＯＮ）信号の後、動作停止命令（ＯＦＦ）信号を送信している。送信器１は、ＯＮ信号を送信した後、送信禁止時間ｔ１が経過するまでは、その時間ｔ１内にＯＦＦ信号の送信指示などがあったとしても、そのＯＦＦ信号の送信を禁止して、その送信禁止時間ｔ１の経過後に、送信を禁止していたＯＦＦ信号の送信を、時間ｔ２だけ遅延させて送信する。
【００３０】
これによって、送信器１が連続して信号を送信しようとしたときでも、信号同士が衝突して、送信した信号が受信器３に到達しなくなる場合がなく、送信器１と受信器３の動作が同期する。法規では、所定時間（例えば３秒間）にまたがる送信を断続的にすれば、所定時間（例えば２秒間）は送信を停止しなければならないことが定められているが、従来は、これに準拠するために、送信実行時に判断が必要であったのに対し、本発明によれば、送信禁止時間ｔ１が設定されているので、このような判断処理が必要なくなる。また、送信禁止時間ｔ１を、法定の最小送信禁止時間（例えば２秒間）とほぼ同じ時間に設定すれば、送信器１側の送信タイミングと受信器３側の受信タイミングのタイムラグを小さくし、動作の違和感を少なくすることができる。ただし、送信禁止時間ｔ１は、法規によって送信を停止する必要がある所定時間（例えば２秒間）以上でなければならない。
【００３１】
なお、図３においては、送信器１から送信する信号は、ＯＮ信号とＯＦＦ信号の２種類であるが、これには限定されず、３種以上の信号を送信するようにしてもよい。また、連続して同じ種類の信号を送信してもよい。また、このような動作は、送信器１が、接点信号を出力する機器からの接点信号の入力に変化があったときに、その変化に対応したワイヤレス信号を送信する接点入力型ワイヤレス送信器１Ａ（図７とともに後述する）において行われる。すなわち、接点入力型ワイヤレス送信器１Ａは、接点信号の入力に変化があり、ワイヤレス信号を送信した後、送信禁止時間ｔ１が経過するまでは、接点信号の入力に変化があったとしても、ワイヤレス信号の送信を禁止して、その送信禁止時間ｔ１の経過後に、送信を禁止していたワイヤレス信号を送信する。
【００３２】
ところが、上記したように、送信器１に送信禁止時間ｔ１を設けた場合でも、送信すべき信号が連続し、その数が多くなれば、各々に送信禁止時間ｔ１が設けられるため、すべての信号の送信完了が遅れてしまう。図４は、そのときの動作を、送信器１が、（ａ）センサの接点入力の変化によって信号を送信する（ｂ）接点入力型ワイヤレス送信器１Ａである場合を例にとって示している。送信器１Ａは、送信禁止時間ｔ１中にあった最初のセンサの状態変化に対しては、時間ｔ２だけ遅延させて送信し、その後のセンサの状態変化（図中、黒星印を参照）については、順に、前の送信信号の送信禁止時間ｔ１の経過後に送信する。
【００３３】
本発明システムでは、この問題を解決するために、ワイヤレス送信器１Ａは、ワイヤレス信号を送信した後、送信禁止時間ｔ１が経過するまでは、ワイヤレス信号の送信を禁止し、その送信禁止時間ｔ１が経過したときに、送信を禁止していた最初のワイヤレス信号と最後のワイヤレス信号が同じ種別の信号であれば、その最初のワイヤレス信号を送信し、送信を禁止していた最初のワイヤレス信号と最後のワイヤレス信号が異なる種別の信号であれば、その最初のワイヤレス信号と最後のワイヤレス信号を送信する。
【００３４】
すなわち、送信禁止時間ｔ１中に送信を禁止する信号がなければ、送信禁止時間ｔ１の経過後に、信号は送信しない。送信禁止時間ｔ１中に送信を禁止する信号が１つであれば、最初と最後の信号が同じであるので、送信禁止時間ｔ１の経過後に、最初（かつ最後）の信号のみを送信する。また、送信禁止時間ｔ１中の信号が複数あり、最初と最後の信号の種別が同じであれば、送信禁止時間ｔ１の経過後に、最初の信号のみを送信し、最初と最後の信号の種別が異なっていれば、送信禁止時間ｔ１の経過後に、最初の信号、最後の信号の順で送信する。このときは、もちろん、最初の信号を送信し、送信禁止時間ｔ１が経過した後に、最後の信号を送信する。更に、この送信禁止時間ｔ１内に、送信を禁止する信号があれば、同様にして、上記最後の信号の次から順に送信する。
【００３５】
図５には、この場合の動作を示している。ワイヤレス送信器１Ａは、ＯＮ信号を送信した後、送信禁止時間ｔ１が経過するまで、送信を禁止し、送信を禁止した最初の信号（ＯＦＦ信号）を時間ｔ２を遅延させて送信するようにしている。時間ｔ２内のセンサの状態変化（図中、黒星印を参照）は無視する。ここでは、禁止した最初と最後のワイヤレス信号（図中、黒丸印を参照）が異なる種別の信号（ＯＦＦ信号とＯＮ信号）であるので、ＯＦＦ信号の送信による送信禁止時間ｔ１の経過後にＯＮ信号を送信する。
【００３６】
具体的には、センサが、窓が開くとＯＦＦ状態になり、閉じるとＯＮ状態になる防犯センサである場合、窓を閉じて監視状態にした直後に、侵入者などによって窓が開かれた後、すぐに窓が閉じられたとしても、送信が禁止された最初の信号（ＯＦＦ信号）は必ず送信されるので、受信器３側では警報の出力などが行われ、侵入者があったことが分かる。
【００３７】
これによって、送信器１から不要な信号を送信することがないので、効率がよい伝送ができ、電池１１の消耗を抑えることができる。また、送信器１側と受信器３側の動作を早期に同期させることができる。なお、このような動作は、２つの種別（ＯＮ信号とＯＦＦ信号）にのみ対応できるが、複数の種別に対応できるようにする場合は、送信器１には、送信禁止時間ｔ１に送信を禁止した信号が、１つ以上あったか無かったかを、信号の各種別毎に記憶する。そして、送信禁止時間ｔ１の経過後に、送信を禁止した順に、最大、各種別ごとの信号を１つずつ送信するようにすればよい。
【００３８】
次に、図６には、接点入力型ワイヤレス送信器１Ａを用いたワイヤレス伝送システムのシステム構成の例を示している。送信器側としては、例えば、（ａ）〜（ｅ）に示すような構成がある。送信器１に接続される接点信号出力機器６には、（ａ）に示した工作機械の異常検知スイッチ、（ｂ）に示した防犯スイッチ、（ｃ）に示した人体検知センサなどの各種センサ、（ｄ）に示した呼出などのための各種押釦、（ｅ）に示したドアスイッチなどがある。
【００３９】
接点信号とは、上述したように、接点の変化があったこと示す信号であるが、言い換えれば、接続機器が、（ａ）の異常検知スイッチである場合、異常を検知している状態と検知していない状態を示し、（ｂ）の防犯スイッチである場合、警報状態と非警報状態を示し、（ｃ）のセンサである場合、対象物を検知した状態と検知していない状態を示し、（ｄ）の押釦である場合、釦を押した状態と押していない状態を示し、（ｅ）のドアスイッチである場合、ドアが開いた状態と閉じた状態を示すことにもなる。
【００４０】
一方、受信器３には、（ｆ）に示したような、ワイヤレス信号を受信したときに、呼出音や警告音などを出力したり、信号の内容に応じた表示窓を点灯あるいは点滅させるワイヤレスコール受信器、（ｇ）に示したような、レストランなどに設置され、各テーブルに設置されたワイヤレス発信器（不図示）から発信された信号を受信し、呼出音を出力し、発信器に割り当てられた窓にテーブル番号などを表示するとともに、来客を検知したとき等に、送信器１からの信号を受信し、呼出音の出力などを行うワイヤレスサービスコール受信器、（ｈ）に示したような、送信器１，１Ａから信号を受信したときに、有線接続した接点信号入力機器７に接点信号を出力し、その機器を動作させる接点出力型ワイヤレス受信器３Ａなどがある。なお、この受信機２Ｃに接続される機器７には、照明制御用リレー、ブザー、防犯カメラなどがある。
【００４１】
図７は、本発明のワイヤレス伝送システムにおける接点入力型ワイヤレス送信器１Ａの内部構成の一例を示したブロック図である。この送信器１Ａは、図１に示した送信器１の構成に加えて、接点信号出力機器６を有線接続する端子入力部１９を設けており、その他は図１に示した構成と同じである。このワイヤレス送信器１Ａでは、信号処理部１０は、端子入力部１９から接点信号の入力があったときに、接続した機器６の状態を示すワイヤレス信号を生成し、この信号を無線送信部２２からアンテナ２１を通じて送信する。送信される信号には、ＩＤ書込部１３から読み出されたＩＤコードが付加されており、ＶＣＯ２３により発振制御がされる無線送信部２２によって送信される。ワイヤレス信号を送信したときには、表示部１６に、送信したことや送信内容を表示する。
【００４２】
この送信器１Ａには、接点信号出力機器６として、様々なタイプの機器を接続できるようになっており、そのため、接続した機器から、接点の変化があったことを示す信号として、接点が閉じたことを示すａ接点（メーク接点）入力がされるのか、接点が開いたことを示すｂ接点（ブレーク接点）入力がされるのかが、操作部１２によって設定できるようになっている。また、接続する機器には、無電圧接点入力あるいは有電圧接点入力を行う機器もあり、これらの別も操作部１２で設定できるようになっている。
【００４３】
次に、図８は、接点出力型ワイヤレス受信器３Ａの内部構成の一例を示したブロック図である。この受信器３Ａには、図２に示した受信器３の構成に加えて、接点信号を入力して所望動作をする接点入力機器７を有線接続し、ここから接点信号を出力して、機器７を動作させる接点出力部３９と、接点信号の出力時間を計時する接点出力停止タイマ４０と、接点出力のモードを、トグル出力モードや入力同期出力モードなどに設定する接点出力モード設定部４１と、接点信号の出力時間を予め設定した接点出力時間設定部４２とを設けており、その他は図１に示した構成と同じである。
【００４４】
このワイヤレス受信器３Ａでは、無線部５０を介して、ワイヤレス送信器１，１Ａから送信されるワイヤレス信号を受信すると、接点出力部３９から、接続した機器７に対して接点信号を出力する。次に、図９には、送信器１Ａから受信器３Ａへの通信に、ワイヤレス中継器８を介する場合の構成を示している。
【００４５】
このワイヤレス伝送システムは、少なくとも、接点信号を出力する機器からの接点信号の入力に変化があったときに、その変化に対応したワイヤレス信号を送信する接点入力型ワイヤレス送信器１Ａと、このワイヤレス送信器１Ａから送信されるワイヤレス信号を受信し、そのワイヤレス信号を一定時間後に送信するワイヤレス中継器８と、このワイヤレス中継器８から送信されるワイヤレス信号を受信するワイヤレス受信器３Ａとで構成されている。
【００４６】
ここでは、ワイヤレス中継器８は２台設けられ、受信器が接点出力型ワイヤレス受信器３Ａで構成されている場合を例示している。なお、送信器として、図１に示したワイヤレス送信器１を用いる場合も同様に、中継器８を介して、送信器３，３Ａに対して通信が行われる。図１０は、本発明のワイヤレス伝送システムにおけるワイヤレス中継器８の内部構成の一例を示したブロック図である。中継器８は、受信部８１と、送信部８３と、各部に電源を供給する電源８４と、送受信のためのチャンネルを設定するチャンネル設定部８５とで構成されており、受信部８１は図２の受信器３と同じような構成になっており、送信部８３は図１の送信器１と同じような構成になっている。
【００４７】
受信部８１は、信号処理部８１０と、表示部８１１と、周波数を切替設定する周波数切替部８１２と、この受信部８１に割り当てられたＩＤコードを記憶するＩＤメモリ８１３と、ＩＤメモリ８１３にＩＤコードを登録するとき等に操作する登録釦８１４と、低電圧検出部８１５と、信号処理部８１０の動作のためのメインクロック８１６とを設けている。
【００４８】
更に、ワイヤレス信号を受信するための無線部８２０では、アンテナ８２１から受信した信号を、ＰＬＬ制御部８２５によって発振制御がされる無線受信部８２２によって受信し、復調部８２３で復調し、その信号の波形を波形整形部８２４で整形する。受信部８１の信号処理部８１０では、無線部８２０を介して、ワイヤレス送信器１，１Ａから送信されるワイヤレス信号を受信すると、送信部８３の信号処理部８３０にデータ出力によって通知する。
【００４９】
送信部８３は、信号処理部８３０と、操作スイッチなどで構成されたモード切替部８３１と、送信部８３に割り当てられたＩＤコードを書き込むＩＤ書込部８３２と、表示部８３３と、サブクロック８３４及びメインクロック８３５とを備える。また、無線部８４０として、ワイヤレス信号を送信するアンテナ８４１と、無線送信部８４２と、送信周波数を制御するＶＣＯ８４３と、ＶＣＯ８４３の位相の制御回路であるＰＬＬＩＣ８４４と、ワイヤレス信号の周波数を生成するための基準クロック８４５とを備えている。
【００５０】
送信部８３では、信号処理部８３０は、受信部８１からデータ入力があると、ワイヤレス信号を生成し、この信号を無線送信部８４２からアンテナ８４１を通じて送信する。送信される信号には、ＩＤ書込部８３２から読み出されたＩＤコードが付加されており、ＶＣＯ８４３により発振制御がされる無線送信部８４２によって送信される。
【００５１】
本発明では、ワイヤレス送信器１，１Ａは、ワイヤレス信号を送信してから、そのワイヤレス信号をワイヤレス受信器が受信するまでの時間または該時間以上を、送信禁止時間ｔ１として、送信禁止時間設定部１４に設定している。この送信禁止時間ｔ１は、予め、送信器１，１Ａから、１又は複数台の中継器８を介して、受信器３に信号が到達するまでの予想時間が設定される。したがって、送信器１と受信器３の距離が長く、中継器８を多く介するような場合には、その距離が長くなるに従って、送信禁止時間ｔ１は長くなる。
【００５２】
送信器１，１Ａは、ワイヤレス信号を送信した後、送信禁止時間ｔ１が経過するまでは、ワイヤレス信号の送信を禁止して、その送信禁止時間ｔ１の経過後に、送信を禁止していたワイヤレス信号を送信する。図１１には、送信器１Ａの動作を示しており、ここでは、送信器１Ａは、受信器３Ａに対して、２台の中継器８（中継器１、中継器２）を介して、動作開始命令（ＯＮ）信号の後、動作停止命令（ＯＦＦ）信号を送信している。送信器１Ａは、ＯＮ信号を送信した後、送信禁止時間ｔ１が経過するまでは、その時間ｔ１内にセンサの状態が変化して、ＯＦＦ信号の送信指示があったとしても、そのＯＦＦ信号の送信を禁止して、その送信禁止時間ｔ１の経過後に、送信を禁止していたＯＦＦ信号の送信を、時間ｔ２だけ遅延させて送信する。
【００５３】
これによって、中継器８が信号を中継している間は、送信器１Ａが信号を送信することがないので、中継器８が送信した信号と、送信器１Ａが送信した信号とが衝突して、信号が受信器３Ａに到達しなくなる場合がない。また、法規により、所定時間（例えば３秒間）にまたがる送信を断続的にすれば、所定時間（例えば２秒間）は送信を停止しなければならないことが定められている場合でも、送信禁止時間ｔ１が設定されているので、送信時に、法規に準拠するように送信を制御する必要なくなる。また、送信禁止時間ｔ１を、法定の最小送信禁止時間（例えば２秒間）とほぼ同じ時間に設定すれば、送信器１側の送信タイミングと受信器３側の受信タイミングのタイムラグを小さくし、動作の違和感を少なくすることができる。ただし、送信禁止時間ｔ１は、送信を停止する必要がある所定時間（例えば２秒間）以上でなければならない。
【００５４】
また、このような動作は、図１に示した送信器１においても行われる。すなわち、ワイヤレス送信器１は、ワイヤレス信号を送信した後、送信禁止時間ｔ１が経過するまでは、ワイヤレス信号の送信を禁止して、その送信禁止時間ｔ１の経過後に、送信を禁止していたワイヤレス信号を送信する。次に、本発明のワイヤレス伝送システムの別の動作を図１２に示す。
【００５５】
ワイヤレス送信器１Ａは、ワイヤレス信号を送信した後、送信禁止時間ｔ１が経過するまでは、ワイヤレス信号の送信を禁止し、その送信禁止時間ｔ１が経過したときに、送信を禁止していた最初のワイヤレス信号と最後のワイヤレス信号が同じ種別の信号であれば、その最初のワイヤレス信号を送信し、送信を禁止していた最初のワイヤレス信号と最後のワイヤレス信号が異なる種別の信号であれば、その最初のワイヤレス信号と最後のワイヤレス信号を送信する。
【００５６】
すなわち、送信禁止時間ｔ１中に送信を禁止する信号がなければ、送信禁止時間ｔ１の経過後に、信号は送信しない。送信禁止時間ｔ１中に送信を禁止する信号が１つであれば、最初と最後の信号が同じであるので、送信禁止時間ｔ１の経過後に、最初（かつ最後）の信号のみを送信する。また、送信禁止時間ｔ１中の信号が複数あり、最初と最後の信号の種別が同じであれば、送信禁止時間ｔ１の経過後に、最初の信号のみを送信し、最初と最後の信号の種別が異なっていれば、送信禁止時間ｔ１の経過後に、最初の信号、最後の信号の順で送信する。このときは、もちろん、最初の信号を送信し、送信禁止時間ｔ１が経過した後に、最後の信号を送信する。更に、この送信禁止時間ｔ１内に禁止する信号があれば、同様にして、上記最後の信号の次から順に送信する。
【００５７】
図の例では、ワイヤレス送信器１Ａは、ＯＮ信号を送信した後、送信禁止時間ｔ１が経過するまで、送信を禁止し、送信を禁止した最初の信号（ＯＦＦ信号）を時間ｔ２を遅延させてから送信している。時間ｔ２内のセンサの状態変化（図中、黒星印を参照）は無視しており、禁止した最初と最後のワイヤレス信号（図中、黒丸印を参照）が異なる種別の信号（ＯＦＦ信号とＯＮ信号）であるので、ＯＦＦ信号の送信による送信禁止時間ｔ１の経過後に更にＯＮ信号を送信している。これによって、送信器１Ａは無駄な信号を送信しないので、効率がよい伝送ができるとともに、受信器３Ａとの動作を早期に同期させることができる。
【００５８】
また、このような動作は、図１に示した送信器１においても行われる。すなわち、ワイヤレス送信器１は、ワイヤレス信号を送信した後、送信禁止時間ｔ１が経過するまでは、ワイヤレス信号の送信を禁止し、その送信禁止時間ｔ１が経過したときに、送信を禁止していた最初のワイヤレス信号と最後のワイヤレス信号が同じ種別の信号であれば、その最初のワイヤレス信号を送信し、送信を禁止していた最初のワイヤレス信号と最後のワイヤレス信号が異なる種別の信号であれば、その最初のワイヤレス信号と最後のワイヤレス信号を送信する。
【００５９】
【発明の効果】
以上の説明からも理解できるように、本発明の請求項１では、少なくとも、ワイヤレス送信器とワイヤレス受信器とで構成されたワイヤレス伝送システムにおいて、送信器は、ワイヤレス信号を送信してから、その信号を受信器が受信するまでの時間またはその時間以上を、送信禁止時間として設定しており、送信器は、ワイヤレス信号を送信した後、送信禁止時間が経過するまで、ワイヤレス信号の送信を禁止し、その送信禁止時間の経過後に、送信を禁止していたワイヤレス信号を送信するので、その送信した信号が、受信器に到達する前に、次に送信器から送信される信号と衝突することがなく、確実に受信器にて受信することができる。
【００６０】
本発明の請求項２では、少なくとも、接点入力型ワイヤレス送信器とワイヤレス中継器とワイヤレス受信器とで構成されたワイヤレス伝送システムにおいて、送信器は、ワイヤレス信号を送信してから、その信号を受信器が受信するまでの時間またはその時間以上を、送信禁止時間として設定しており、送信器は、ワイヤレス信号を送信した後、送信禁止時間が経過するまで、ワイヤレス信号の送信を禁止し、その送信禁止時間の経過後に、送信を禁止していたワイヤレス信号を送信するので、その送信した信号が、受信器に到達する前に、次に送信器から送信される信号と衝突することがなく、確実に受信器にて受信することができる。
【００６１】
本発明の請求項３では、少なくとも、ワイヤレス送信器とワイヤレス受信器とで構成されたワイヤレス伝送システムにおいて、送信器は、ワイヤレス信号を送信してから、その信号を受信器が受信するまでの時間またはその時間以上を、送信禁止時間として設定しており、送信器は、ワイヤレス信号を送信した後、送信禁止時間が経過するまで、ワイヤレス信号の送信を禁止し、その送信禁止時間が経過したときに、送信を禁止していた最初と最後の信号が同じ種別の信号であれば、その最初の信号を送信し、送信を禁止していた最初と最後の信号が異なる種別の信号であれば、その最初と最後の信号を送信するので、送信禁止時間を開始する直前に送信した信号が、受信器に到達する前に、次に送信器から送信される信号と衝突することがなく、確実に受信器にて受信することができる。また、早期に送信器と受信器の状態を同期させることができる。
【００６２】
本発明の請求項４では、少なくとも、接点入力型ワイヤレス送信器とワイヤレス受信器とで構成されたワイヤレス伝送システムにおいて、送信器は、ワイヤレス信号を送信してから、その信号を受信器が受信するまでの時間またはその時間以上を、送信禁止時間として設定しており、送信器は、ワイヤレス信号を送信した後、送信禁止時間が経過するまで、ワイヤレス信号の送信を禁止し、その送信禁止時間が経過したときに、送信を禁止していた最初と最後の信号が同じ種別の信号であれば、その最初の信号を送信し、送信を禁止していた最初と最後の信号が異なる種別の信号であれば、その最初と最後の信号を送信するので、送信禁止時間を開始する直前に送信した信号が、受信器に到達する前に、次に送信器から送信される信号と衝突することがなく、確実に受信器にて受信することができる。また、早期に送信器と受信器の状態を同期させることができる。
【００６３】
本発明の請求項５では、少なくとも、ワイヤレス送信器とワイヤレス中継器とワイヤレス受信器とで構成されたワイヤレス伝送システムにおいて、送信器は、ワイヤレス信号を送信してから、その信号を受信器が受信するまでの時間またはその時間以上を、送信禁止時間として設定しており、ワイヤレス信号を送信した後、送信禁止時間が経過するまで、ワイヤレス信号の送信を禁止し、その送信禁止時間が経過したときに、送信を禁止していた最初と最後の信号が同じ種別の信号であれば、その最初の信号を送信し、送信を禁止していた最初と最後の信号が異なる種別の信号であれば、その最初と最後の信号を送信するので、送信禁止時間を開始する直前に送信した信号が、受信器に到達する前に、次に送信器から送信される信号と衝突することがなく、確実に受信器にて受信することができる。また、早期に送信器と受信器の状態を同期させることができる。
【００６４】
本発明の請求項６では、少なくとも、接点入力型ワイヤレス送信器とワイヤレス中継器とワイヤレス受信器とで構成されたワイヤレス伝送システムにおいて、送信器は、ワイヤレス信号を送信してから、その信号を受信器が受信するまでの時間またはその時間以上を、送信禁止時間として設定しており、送信器は、ワイヤレス信号を送信した後、送信禁止時間が経過するまで、ワイヤレス信号の送信を禁止し、その送信禁止時間が経過したときに、送信を禁止していた最初と最後の信号が同じ種別の信号であれば、その最初の信号を送信し、送信を禁止していた最初と最後の信号が異なる種別の信号であれば、その最初と最後の信号を送信するので、送信禁止時間を開始する直前に送信した信号が、受信器に到達する前に、次に送信器から送信される信号と衝突することがなく、確実に受信器にて受信することができる。また、早期に送信器と受信器の状態を同期させることができる。
【００６５】
本発明の請求項７では、請求項１〜請求項６の各々のワイヤレス伝送システムにおいて、ワイヤレス送信器は、送信禁止時間を、法定の最小送信禁止時間とほぼ同じ時間に設定しているので、送信器側の送信タイミングと受信器側の受信タイミングのタイムラグを小さくし、動作の違和感を少なくすることができる。
【図面の簡単な説明】
【図１】ワイヤレス送信器の構成の一例を示すブロック図である。
【図２】ワイヤレス受信器の構成の一例を示すブロック図である。
【図３】本発明のワイヤレス伝送システムの動作の例を示す図である。
【図４】ワイヤレス伝送システムの動作の問題点を示す図である。
【図５】本発明のワイヤレス伝送システムの他の動作の例を示す図である。
【図６】本発明のワイヤレス伝送システムの構成の例を示す図である。
【図７】接点入力型ワイヤレス送信器の構成の一例を示すブロック図である。
【図８】接点出力型ワイヤレス受信器の構成の一例を示すブロック図である。
【図９】本発明のワイヤレス伝送システムの他の構成の例を示す図である。
【図１０】ワイヤレス中継器の構成の一例を示すブロック図である。
【図１１】本発明のワイヤレス伝送システムの動作の他の例を示す図である。
【図１２】本発明のワイヤレス伝送システムの動作の更に他の例を示す図である。
【図１３】従来のワイヤレス伝送システムの動作の例を示す図である。
【図１４】従来のワイヤレス伝送システムの動作の他の例を示す図である。
【図１５】従来のワイヤレス伝送システムの動作の問題点を示す図である。
【符号の説明】
１
ワイヤレス送信器
１Ａ
接点入力型ワイヤレス送信器
１４
送信禁止時間設定部
３
ワイヤレス受信器
３Ａ
接点出力型ワイヤレス受信器
８
ワイヤレス中継器
ｔ１
送信禁止時間
ｔ２
送信遅延時間
【図１】
0003633375.tif 000002
【図２】
0003633375.tif 000003
【図３】
0003633375.tif 000004
【図４】
0003633375.tif 000005
【図５】
0003633375.tif 000006
【図６】
0003633375.tif 000007
【図７】
0003633375.tif 000008
【図８】
0003633375.tif 000009
【図９】
0003633375.tif 000010
【図１０】
0003633375.tif 000011
【図１１】
0003633375.tif 000012
【図１２】
0003633375.tif 000013
【図１３】
0003633375.tif 000014
【図１４】
0003633375.tif 000015
【図１５】
0003633375.tif 000016